(57)【要約】【課題】  天井と床面間に立設し、その間にパネル体を装着する構造の簡易施工型の間仕切壁において使用する伸縮支柱装置であって、隣接するパネル体間に露出する部分の外観性に優れ、また高さ調節が容易であるとともに、立設作業が簡単である間仕切壁における伸縮支柱装置を提供する。【解決手段】  伸縮支柱１は、中空の下部支柱２とその上部に上下スライド可能に内嵌する上部支柱３とからなり、上部支柱の上端部の外面とその間の外面に、天レール４の前後内壁面２２に圧接して上部支柱を保持可能、及び下部支柱の上端に係止可能なブッシュ１３を突設し、伸縮支柱の下部支柱間にパネル体５を装着し、該パネル体の上方空間の上部支柱間に欄間パネル板７を保持すべく上部支柱の側面に装着した縦パッキン４３の上端で、上部支柱の側面に突設したブッシュの下端を当止してなる。【選択図】        図８
2005290877.tif 000002
【特許請求の範囲】
【請求項１】
予め天井に取付けられた天レールと床面間に伸縮支柱を所定間隔毎に複数立設し、隣接する伸縮支柱間にパネル体を装着する構造の簡易施工型の間仕切壁において、前記伸縮支柱は、中空の下部支柱と該下部支柱の上部に上下スライド可能に内嵌する上部支柱とからなり、前記上部支柱の上端部の少なくとも一対の対向面側の外面とその間の外面に、前記天レールの前後内壁面に圧接して前記上部支柱を保持可能、及び前記下部支柱の上端に係止可能な合成樹脂製のブッシュを突設し、所定間隔で立設した前記伸縮支柱の下部支柱間にパネル体を装着するとともに、該パネル体の上方空間の前記上部支柱間に欄間パネル板を保持すべく該上部支柱の側面に装着した縦パッキンの上端で、該上部支柱の側面に突設したブッシュの下端を当止してなることを特徴とする間仕切壁における伸縮支柱装置。
【請求項２】
前記下部支柱は、外形が四角形で少なくとも四隅角部は薄肉に設定するとともに、四隅角部内面は内部空間に連通した形状であり、前記上部支柱は、前記下部支柱の内部空間に嵌挿する主柱部と該主柱部から前記下部支柱の四隅角部内面に密接する張出し縁部を延設した形状である請求項１記載の間仕切壁における伸縮支柱装置。
【請求項３】
前記下部支柱の内部空間に面する四辺面の内面中央部に沿って凹溝を形成するとともに、前記上部支柱の主柱部の下部で四辺面の外面に前記凹溝内に上下スライド可能に係合するスライダーを突設してなる請求項１又は２記載の間仕切壁における伸縮支柱装置。
【発明の詳細な説明】
【技術分野】
【０００１】
本発明は、間仕切壁における伸縮支柱装置に係わり、更に詳しくは簡易施工型の間仕切壁において天井と床面間に立設してパネル体を支持するために使用する伸縮支柱装置に関するものである。
【背景技術】
【０００２】
従来から天井に取付けた天レールと床面に敷設して地レールとの間に支柱を一定間隔毎に立設し、両支柱間にパネル体を着脱可能に取付けて、順次側方へ連設する構造の間仕切壁は各種提供されている。ここで、地レールを省略して直接支柱の下端のアジャスターを床面に移動不能に支持するものも提供されている。このような間仕切壁は、天井までの高さに応じて前記支柱の高さを設定する必要があり、その場合、省資源化、施工性の観点から予め長尺の支柱を用意し、現場で切断するといった工法はとらず、高さを自由に変更できる伸縮支柱が採用されている。
【０００３】
例えば、特許文献１には、中空形状の下部支柱の上部に上部支柱を上下スライド可能に嵌挿する伸縮支柱が開示されている。この伸縮支柱は、下部支柱の上部にスペーサー部を有する支柱連結具を嵌着し、上部支柱の下端にスライダーを装着し、上部支柱を前記支柱連結具をスライド可能に嵌挿するとともに、スライダーを下部支柱の内部でスライド可能となした構造を有している。このような伸縮支柱を用いて間仕切壁を施工する場合、下部支柱間にはパネル体を取付け、上部支柱間には欄間パネル体を取付ける。しかし、前述のように下部支柱と上部支柱の間には支柱連結具のスペーサー部あるいはスライダーが存在するので、上部支柱の外形寸法は下部支柱のそれより十分に小さく設定せざるを得ず、そのため下部支柱と上部支柱の繋ぎ目に大きな段差が生じて、意匠上、下部支柱と上部支柱が完全に分離し、不連続な外観となるのである。また、上部支柱が下部支柱内に不意に落ち込んでしまうといった問題も有している。
【０００４】
また、特許文献２には、支柱の上端部に天固定金具をその突出長さを調節可能に内挿し、該天固定金具の上端部の側面に形成した内外への弾性を有する切起し屈曲片を天レールの凹溝内の側壁面に圧接して当該支柱を立起状態に保持する構造が開示されている。この特許文献２の間仕切壁は、支柱の表裏両面にパネル板を装着するので、前記支柱や天固定金具は僅かに目地部から見えるだけで、支柱と天固定金具との繋ぎ目に大きな段差があっても外観性に影響を与えない構造である。しかし、支柱を立設する施工の観点においては、前記天固定金具を下げた状態で支柱を立起状態に保持しながら、該天固定金具を押上げて天レールの凹溝内に押込み、それから支柱の上端部で側方からドライバーでネジを回して支柱に対して天固定金具を固定する作業をするが、その作業は非常に高い位置で行うので多大な労力を要し、また正確に支柱を位置決めするのも大変である。
【特許文献１】実公昭６１−１８０９９号公報
【特許文献２】実公昭６１−３４４２１号公報
【発明の開示】
【発明が解決しようとする課題】
【０００５】
そこで、本発明が前述の状況に鑑み、解決しようとするところは、天井と床面間に立設し、その間にパネル体を装着する構造の簡易施工型の間仕切壁において使用する伸縮支柱装置であって、隣接するパネル体間に露出する部分の外観性に優れ、また高さ調節が容易であるとともに、立設作業が簡単である間仕切壁における伸縮支柱装置を提供する点にある。
【課題を解決するための手段】
【０００６】
本発明は、前述の課題解決のために、予め天井に取付けられた天レールと床面間に伸縮支柱を所定間隔毎に複数立設し、隣接する伸縮支柱間にパネル体を装着する構造の簡易施工型の間仕切壁において、前記伸縮支柱は、中空の下部支柱と該下部支柱の上部に上下スライド可能に内嵌する上部支柱とからなり、前記上部支柱の上端部の少なくとも一対の対向面側の外面とその間の外面に、前記天レールの前後内壁面に圧接して前記上部支柱を保持可能、及び前記下部支柱の上端に係止可能な合成樹脂製のブッシュを突設し、所定間隔で立設した前記伸縮支柱の下部支柱間にパネル体を装着するとともに、該パネル体の上方空間の前記上部支柱間に欄間パネル板を保持すべく該上部支柱の側面に装着した縦パッキンの上端で、該上部支柱の側面に突設したブッシュの下端を当止してなる間仕切壁における伸縮支柱装置を構成した（請求項１）。
【０００７】
また、前記下部支柱は、外形が四角形で少なくとも四隅角部は薄肉に設定するとともに、四隅角部内面は内部空間に連通した形状であり、前記上部支柱は、前記下部支柱の内部空間に嵌挿する主柱部と該主柱部から前記下部支柱の四隅角部内面に密接する張出し縁部を延設した形状であることが好ましい（請求項２）。
【０００８】
また、前記下部支柱の内部空間に面する四辺面の内面中央部に沿って凹溝を形成するとともに、前記上部支柱の主柱部の下部で四辺面の外面に前記凹溝内に上下スライド可能に係合するスライダーを突設してなることも好ましい（請求項３）。
【発明の効果】
【０００９】
以上にしてなる請求項１に係る発明の間仕切壁における伸縮支柱装置は、所定間隔で立設した前記伸縮支柱の下部支柱間にパネル体を装着するとともに、該パネル体の上方空間の前記上部支柱間に欄間パネル板を保持すべく該上部支柱の側面に装着した縦パッキンの上端で、該上部支柱の側面に突設したブッシュの下端を当止してなるので、施工後における上部支柱の下降を確実に規制することができ、施工安定性が増すのである。また、下部支柱を立起状態に片手で保持しながら、もう一方の手で上部支柱を押上げ、予め天井に取付けられた天レールの凹溝内に押し込んでその前後内壁面に上部支柱の上端部で一対の対向面側の外面に突設した合成樹脂製のブッシュを圧接するだけで伸縮支柱を保持することができ、しかも上部支柱のブッシュが下部支柱の上端に係止できるので、施工前には伸縮支柱を最短にしておくことができ、取扱い時に不意に上部支柱が下部支柱の内部に落ち込むことがないのである。また、下部支柱を手の届く高さに設定し、上部支柱を長くしても外観性に問題がないので、下部支柱間にパネル体を装着する作業が極めて容易になる。
【００１０】
請求項２によれば、下部支柱と上部支柱の外形輪郭における寸法差が下部支柱の四隅角部の肉厚差だけであり、しかも下部支柱の四隅角部の肉厚を薄肉に設定しているので、下部支柱と上部支柱の外形が近似し、繋ぎ目における段差が小さく、意匠上、不連続感がなくなり、伸縮支柱がパネル体間に露出する構造の間仕切壁において外観性の向上を図ることができる。
【００１１】
請求項３によれば、下部支柱の内部空間に面する四辺面に形成した凹溝内に、上部支柱の主柱部の下部で四辺面の外面に突設したスライダーを上下スライド可能に係合してので、下部支柱に対する上部支柱の伸縮動作がカタツキなくスムーズであるとともに、スライダーの接触抵抗力によって上部支柱の自由な下降を防止することができる。
【発明を実施するための最良の形態】
【００１２】
次に、添付図面に示した実施形態に基づき、本発明を更に詳細に説明する。図１は本発明に係る伸縮支柱装置を用いた間仕切壁を示し、図２〜図５は伸縮支柱装置の詳細を示し、図中符号１は伸縮支柱、２は下部支柱、３は上部支柱、４は天レール、５はパネル体、６は巾木、７は欄間パネル板をそれぞれ示している。
【００１３】
本実施形態における間仕切壁は、予め天井Ｓに天レール４を取付けておき、伸縮支柱１を立起状態に手で保持しながら下部支柱２に対して上部支柱３を押上げて、該上部支柱３の上端部を前記天レール４に弾性的に係合させて立起状態を維持し、隣接する下部支柱２，２間にパネル体５を着脱可能に取付けるとともに、該パネル体５の下端に巾木６を取付け、それから隣接する上部支柱３，３間に欄間パネル板７を着脱可能に取付けたものである。尚、前記パネル体５は、予め所定間隔で立設した伸縮支柱１，１の下部支柱２，２間に後で装着することも可能であるが、一方の伸縮支柱１を立設し、他方の伸縮支柱１を縮めた状態でパネル体５の一側部に連結しておき、予め立設した伸縮支柱１の下部支柱２に前記パネル体５の他側部を連結し、この作業を繰り返し行うことで側方へパネル体５を順次側設するようにすることが施工性の観点から好ましい。
【００１４】
本発明に係る伸縮支柱装置は、予め天井Ｓに取付けられた天レール４と床面Ｆ間に伸縮支柱１を所定間隔毎に複数立設し、隣接する伸縮支柱１，１間にパネル体５を装着する構造の簡易施工型の間仕切壁において、前記伸縮支柱１は、中空の下部支柱２と該下部支柱２の上部に上下スライド可能に内嵌する上部支柱３とからなり、前記下部支柱２は、外形が四角形で少なくとも四隅角部８，…は薄肉に設定するとともに、四隅角部８内面は内部空間９に連通した形状であり、前記上部支柱３は、前記下部支柱２の内部空間９に嵌挿する主柱部１０と該主柱部１０から前記下部支柱２の四隅角部８，…内面に密接する張出し縁部１１，…を延設した形状としている。
【００１５】
更に詳しくは、図４に示すように、前記上部支柱３の上端部の少なくとも一対の対向面側の外面に、前記天レール４の前後内壁面１２，１２に圧接して前記上部支柱３を保持可能、及び前記下部支柱２の上端に係止可能な合成樹脂製のブッシュ１３，…を突設している。更に、前記下部支柱２の内部空間９に面する四辺面の内面中央部に沿って凹溝１４，…を形成するとともに、前記上部支柱３の主柱部１０の下部で四辺面の外面に前記凹溝１４内に上下スライド可能に係合するスライダー１５，…を突設している。
【００１６】
具体的には、図２、図３及び図５に示すように、前記下部支柱２は、アルミニウム製の型材であり、断面形状において四角形、好ましくは正方形の輪郭を有し、中央部に断面略正方形の内部空間９を有し、薄肉に設定した四隅角部８，…の内面は該内部空間９に連通し、そして内部空間９に面する四辺面の内面中央部に沿って凹溝１４，…を形成し、該凹溝１４を形成した部分の外面は前記四隅角部８，…の外面と略面一となっている。更に、前記下部支柱２は、各外側面に沿った長手方向に２条の平行な連結溝１６，１６を形成し、両連結溝１６，１６の外側縁から側面に沿って内方へ係止縁１７，１７を形成した構造である。また、前記下部支柱２の下端には前記連結溝１６，…の端部を閉鎖するようにアジャスター１８の受具１９が嵌着されている。
【００１７】
また、前記上部支柱３は、アルミニウム製の型材であり、前記下部支柱２の内部形状に応じたものであり、前記下部支柱２の内部空間９に嵌挿する中空の主柱部１０の四隅部から断面形状において放射状に矢印形の張出し縁部１１，…を延設した形状であり、隣接する張出し縁部１１，１１の中間部には、該張出し縁部１１の外面よりも内方へ凹んだ位置に座面２０，…をそれぞれ形成している。そして、前記上部支柱３の前記座面２０に、前記ブッシュ１３及びスライダー１５を突設し、前記ブッシュ１３は前記張出し縁部１１の外面よりも若干側方へ突出するように設定し、前記スライダー１５は前記張出し縁部１１の外面よりも突出せず、前記下部支柱２の凹溝１４内で摺動できるように突出高さを設定している。また、前記上部支柱３の側面の座面２０の両側には、前記下部支柱２の連結溝１６の開口幅に一致した幅の溝部を形成し、図１、図３及び図７に示すように、正面視において外観が近似するようにしている。
【００１８】
次に、前記伸縮支柱１を立設する構造、手順について図２及び図３に基づいて説明する。前記天井Ｓに取付ける天レール４は、本実施形態では下方へ開放した断面略コ字形のアルミニウム製の型材であり、上面板２１の前後に垂下板２２，２２を有するとともに、両垂下板２２，２２の下縁に互に接近する方向に下片２３，２３を有し、後述のパネル体５の横幅に下部支柱２の横幅を加えた長さを単位長さに切断するとともに、両端部において前記上部支柱３の上端部を受け入れることができるように、部分的に前記下片２３，２３を切除している。ここで、前記両垂下板２２，２２の内面は、前記下部支柱２の上端に突設したブッシュ１３，１３を圧接する内壁面１２，１２となっており、該内壁面１２に前記ブッシュ１３を係止できる段差部２４を設けることが好ましい。但し、前記天レール４は、前記同様な形状にスチール板を折曲形成して作成したものでも良い。
【００１９】
そして、正確な位置に前記伸縮支柱１を立設するには、先ず天井Ｓと床面Ｆに墨だしによって目印を付け、前記天レール４を天井Ｓに上面板２１を下方からアンカーボルト２５で取付ける一方、図２及び図３に示すように、床面Ｆの所定位置に上方へ凹部を向けた断面略コ字形の固定金具２６をアンカーボルト２７で取付け、前記アジャスター１８のナット部１８Ａを前記固定金具２６に載置した状態で、側方から下方へ凹部を向けた断面略コ字形の保持金具２８を前記固定金具２６に外嵌すると同時に、上面に形成したＵ字状切欠溝２９を前記アジャスター１８のボルト部１８Ｂに嵌合するのである。
【００２０】
次に、前記パネル体５を下部支柱２に連結するための構造について説明する。前記下部支柱２の一側面下部に下連結具３０を装着し、上部に上下スライド可能に上連結具３１を装着し、下連結具３０には上向き係合爪３２を有し、上連結具３１には下向き係合爪３３を有しており、前記パネル体５の下端には、前記下連結具３０の上向き係合爪３２を係合する開口部３４を形成するとともに、上端には前記上連結具３１の下向き係合爪３３を落し込み係合する係合孔３５とを形成し、前記パネル体５の開口部３４を前記下部支柱２に装着しておいた前記下連結具３０の上向き係合爪３２に上方から係合して載置した後、前記上連結具３１を前記下部支柱２の上端から係合させ下方へ移動させて下向き係合爪３３を上方の係合孔３５に係合して連結するのである。ここで、前記パネル体５は、上下端面及び両側端面の中央部に凹溝３６を形成してあり、前記開口部３４及び係合孔３５は前記凹溝３６の底面部に形成している。また、前記巾木６は、予めパネル体５の下方凹溝３６内に嵌合状態でネジ止めされている。
【００２１】
また、前記下連結具３０は、図６及び図７に示すように、断面コ字形の縦長の本体部３７の両側縁に外向きに係合片３８，３８が折曲形成されており、この係合片３８，３８を含む両端縁部が前記下部支柱２の連結溝１６，１６内に上下スライド可能に係合し且つ両係止縁１７，１７で両係合片３８，３８が側方への抜け止めがなされ、前記本体部３７の上端からは上方へ延び且つ先端が外向きに曲がった前記上向き係合爪３２が延設されている。
【００２２】
そして、前記上連結具３１は、図６及び図７に示すように、断面コ字形の縦長の本体部３９の両側縁に外向きに係合片４０，４０が折曲形成されており、この本体部３９と係合片４０，４０の断面形状は前記下連結具３０のものと同様であり、前記下部支柱２の連結溝１６，１６と係止縁１７，１７とで上下スライド可能且つ側方への抜け止めがなされ、また本体部３９の上端から外方へ延設した上板４１の両側縁には前記下向き係合爪３３，３３が一対形成されている。ここで、前記係合片４０，４０の上端は本体部３９よりも上方へ延設されており、また上板４１の先端には上方へ段状に突出した爪片４２が一体形成されている。従って、前記一対の下向き係合爪３３，３３に応じて、前記パネル体５には一対の長孔からなる係合孔３５，３５が形成されている。
【００２３】
そして、前記下部支柱２の上端から前記下連結具３０を両係合片３８，３８を連結溝１６，１６内にスライド係合し、下端のアジャスター１８の受具１９に当止した状態で、前記パネル体５の開口部３４内に下連結具３０の上向き係合爪３２を係合し、該パネル体５の側端面を下部支柱２の側面に密着した状態で、下部支柱２の上端から前記上連結具３１の両係合片４０，４０を連結溝１６，１６内にスライド係合し、一側部上部の係合孔３５，３５に下向き係合爪３３，３３を係合して連結する。ここで、前記下連結具３０の本体部３７及び上連結具３１の本体部３９は、パネル体５の側方凹溝３６内に収容された状態となる。尚、パネル体５と下部支柱２とを分解する場合には、前記上連結具３１を上方へ持ち上げるが、固く係合している場合には、前記爪片４２にドライバー等の工具の先端を引っ掛けて強制的に持ち上げて下部支柱２から外し、それからパネル体５を持ち上げて下連結具３０から外し、最後に下連結具３０を下部支柱２から上方へ抜くのである。このようなパネル体５の取付構造であるので、予め間仕切壁を施工後に、任意のパネル体５を取外すことが可能である。
【００２４】
それから、図１、図８〜図１０に示すように、両下部支柱２，２間に装着した前記パネル体５の上方の両上部支柱３，３、パネル体５の上端及び天レール４で囲まれた空間には、前述のように欄間パネル板７を取付ける。それには、前記上部支柱３の内面側に縦パッキン４３を表裏両側の張出し縁部１１，１１間に嵌着するとともに、前記パネル体５の上方凹溝３６内に横パッキン４４を嵌着し、前記天レール４の両下片２３，２３間に横パッキン４５を嵌着し、前記欄間パネル板７の周囲をそれらのパッキンで保持するのである。ここで、前記縦パッキン４３は、欄間パネル板７を装着する前に、予め張出し縁部１１，１１間に嵌着しておくベース部４６と、欄間パネル板７を所定位置に配置した状態で前記ベース部４６に嵌着して該欄間パネル板７を押圧保持するカバー部４７とからなる。これらのパッキン４３，４４，４５は、背面に突設した脚片４８，４８を用いてそれぞれ対応部位に抜止め状態で嵌着するものである。ここで、前記上部支柱３の側面に装着した縦パッキン４３の上端で、該上部支柱３の側面に突設したブッシュ１３の下端を当止し、施工後に上部支柱３が不意に下降しないように、強制的に下降を規制するようにすることが好ましい。その場合、図８〜図１０に示すように、前記縦パッキン４３のベース部４６の背面で両脚片４８，４８の中間に突片４９を突設し、該突片４９の上端で前記天レール４への取付けに関与していない内側のブッシュ１３の下端を当止するようにする。
【００２５】
最後に、本発明に係る間仕切壁の施工方法を図１１に基づいて簡単に説明する。先ず、（ａ）天井Ｓと床面Ｆに墨だしをする。次に、（ｂ）天井Ｓに天レール４を取付ける。（ｃ）コーナー部の位置又は壁面に近接する位置に伸縮支柱１を配し、上部支柱３を押上げて立起状態に保持する。（ｄ）一側部に伸縮支柱１を取付けたパネル体５の他側部を前記伸縮支柱１の下部支柱２に連結するとともに、上部支柱３を押上げて前記同様に天レール４で保持する。（ｅ）（ｄ）の作業を繰り返す。この際、パネル体５と同様にドアパネル５０にドア枠５１を一体的に装着し且つ一側部に伸縮支柱１を取付けた該ドア枠５１の他側部を前記伸縮支柱１の下部支柱２に連結する。（ｆ）これらを順次繰り返す。（ｇ）パネル体５及びドア枠５１の上方空間に縦パッキン４３、横パッキン４４，４５を嵌着し、欄間パネル板７を保持する。（ｈ）完成状態である。
【図面の簡単な説明】
【００２６】
【図１】本発明を適用した間仕切壁の部分正面図である。
【図２】本発明に係る伸縮支柱の要部斜視図である。
【図３】立起状態の伸縮支柱の側面図である。
【図４】伸縮支柱を立設する様子を示す説明用縦断面図である。
【図５】立起状態の伸縮支柱間にパネル体を取付けた状態の横断面図である。
【図６】下部支柱にパネル体を取付ける構造を示す要部斜視図である。
【図７】同じく下部支柱にパネル体を取付けた状態を一部断面で示した部分正面図である。
【図８】パネル体の上方空間に欄間パネル板を取付ける構造を示す部分分解斜視図である。
【図９】欄間パネル板を取付けた状態の横断面図である。
【図１０】同じく欄間パネル板を取付けた状態の縦断面図である。
【図１１】間仕切壁の施工方法の説明図である。
【符号の説明】
【００２７】
１  伸縮支柱          ２  下部支柱
３  上部支柱          ４  天レール
５  パネル体          ６  巾木
７  欄間パネル板      ８  四隅角部
９  内部空間          １０  主柱部
１１  張出し縁部      １２  内壁面
１４  凹溝            １５  スライダー
１６  連結溝          １７  係止縁
１８  アジャスター    １８Ａ  ナット部
１８Ｂ  ボルト部      １９  受具
２０  座面            ２１  上面板
２２  垂下板          ２３  下片
２４  段差部          ２５  アンカーボルト
２６  固定金具        ２７  アンカーボルト
２８  保持金具        ２９  切欠溝
３０  下連結具        ３１  上連結具
３２  上向き係合爪    ３３  下向き係合爪
３４  開口部          ３５係合孔
３６  凹溝            ３７  本体部
３８  係合片          ３９  本体部
４０  係合片          ４１  上板
４２  爪片            ４３  縦パッキン
４４  横パッキン      ４５  横パッキン
４６  ベース部        ４７  カバー部
４８  脚片            ４９  突片
５０  ドアパネル      ５１  ドア枠
Ｆ  床面              Ｓ  天井
【図１】
2005290877.tif 000003
【図２】
2005290877.tif 000004
【図３】
2005290877.tif 000005
【図４】
2005290877.tif 000006
【図５】
2005290877.tif 000007
【図６】
2005290877.tif 000008
【図７】
2005290877.tif 000009
【図８】
2005290877.tif 000010
【図９】
2005290877.tif 000011
【図１０】
2005290877.tif 000012
【図１１】
2005290877.tif 000013